(57)【要約】【課題】従来のビデオカメラ装置のインジケーター表示を変更することがないようにフロントライト構造部材とインジケーター構造部材の共存を実現する、高性能高精細の電子ビューファインダーとする。【解決手段】回路基板上部に反射型液晶表示素子を搭載し、反射型液晶表示素子上部にフロントライトを具備した反射型液晶表示装置を用いた電子ビューファインダーにおいて、フロントライト構造部内に反射型液晶表示素子の表示エリアに対応する開口部と、開口部を避けた形状のＬＥＤ回路基板と、上部に開口部を避けた形状の見切り板を配置してタリー表示することを特徴とする反射型液晶表示装置を用いた電子ビューファインダーとする。【選択図】図１
2014204328.tif 000002
【特許請求の範囲】
【請求項１】
回路基板上部に反射型液晶表示素子を搭載し、該反射型液晶表示素子上部にフロントライトを具備した反射型液晶表示装置を用いた電子ビューファインダーにおいて、前記フロントライト構造部内に前記反射型液晶表示素子の表示エリアに対応する開口部と、前記開口部を避けた形状のＬＥＤ回路基板と、上部に前記開口部を避けた形状の見切り板を配置してタリー表示することを特徴とする反射型液晶表示装置を用いた電子ビューファインダー。
【請求項２】
前記見切り板は、タリー表示ＬＥＤの光を導く窓が形成されていることを特徴とする請求項１記載の反射型液晶表示装置を用いた電子ビューファインダー。
【請求項３】
前記見切り板は、偏光板であることを特徴とする請求項１または２記載の反射型液晶表示装置を用いた電子ビューファインダー。
【請求項４】
回路基板上部に反射型液晶表示素子を搭載し、該反射型液晶表示素子上部にフロントライトを具備した反射型液晶表示装置を用いた電子ビューファインダーにおいて、前記フロントライト構造部の筐体内側側面に前記筐体側面形状に沿った形状のＬＥＤ回路基板を配置し、さらに内側に前記筐体側面形状に沿った形状の反射防止板を配置することを特徴とする反射型液晶表示装置を用いた電子ビューファインダー。
【請求項５】
前記反射防止板は、タリー表示ＬＥＤの光を導く窓が形成されていることを特徴とする請求項４記載の反射型液晶表示装置を用いた電子ビューファインダー。  
【請求項６】
前記反射防止板は、偏光板であることを特徴とする請求項４または５記載の反射型液晶表示装置を用いた電子ビューファインダー。
【発明の詳細な説明】
【技術分野】
【０００１】
本発明は反射型液晶表示装置を用いた電子ビューファインダーに関するものである。
【背景技術】
【０００２】
放送局向けビデオカメラ装置は、小型の白黒ＣＲＴを用いた電子ビューファインダーが主流で、他にカラーの液晶パネルを用いたものやある程度のサイズの液晶パネルを外部モニターとして用いているものがある。
【０００３】
接眼レンズを覗いて使用する放送局向け電子ビューファインダーでは、カメラの動作状態や使用している機能を、ＬＥＤの点灯を利用して表示するインジケーターとして画像表示周辺に設置しているものが多い。表示デバイスの周辺スペースを利用して、ＬＥＤ基板を配置し、その前面に画像表示エリアの見切りとインジケーターの表示窓を兼ねた見切り板を置いている。インジケーターの機能ごとに、表示名を見切り板表面窓付近に印刷したり、記号やマークをインジケーター窓内に印刷して点灯時浮き上がらせるように工夫したものもある。
【０００４】
図４は、従来技術による電子ビューファインダーの外観及び一部内部透視の正面図（Ａ）と上面図（Ｂ）である。レンズユニット３０１はレンズ３０２を内部に配置し、視度調整リング３０３にての視度調整機構を備えている。レンズ部筐体３０４にレンズユニット３０１を挿入することによって、映像を拡大して観ることができる。レンズ３０２の光軸上でレンズ部筐体３０４の壁部３０４ａに、ミラーユニット３０５を前記光軸に対して水平４５度の角度で配置し、ネジ３０６でレンズ部筐体３０４に固定されている。レンズ３０２の光軸がミラーユニット３０５で水平垂直方向に折り曲げられ、その先にＣＲＴ３０７の画面中心が光軸と合うように配置されている。これにより、ＣＲＴ３０７の映像がミラーユニット３０５で折り曲げられ、レンズ３０２の光軸方向になり、レンズ３０２で拡大して観ることができる。ＣＲＴ３０７は、トップケース３０８とボトムケース３０９の内部に配置することにより、ケース内側のスペースを最大限生かした設計になっている。
【０００５】
レンズ部筐体３０４の凹部３０４ｂは円筒状になっており、外側の凹部３０４ａに摺動部材３１０を巻き付けてトップケース３０８とボトムケース３０９にそれぞれ位置決め固定されたスプリング（不図示）を適度に押圧することによって回転トルクを出している。
【０００６】
ケース側には前面に各種可変ＶＲ（ボリューム）と各種動作ＳＷ（スイッチ）が配置されている。可変ＶＲ（ボリューム）はＰＥＡＫＩＮＧ（ピーキング）３１１、ＣＯＮＴＲＡＳＴ（コントラスト）３１２、ＢＲＩＧＨＴ（輝度）３１３が適宜間隔で並んでいる。その下に動作ＳＷ（スイッチ）がＴＡＬＬＹ（タリー）３１４、ＺＥＢＲＡ（ゼブラ）３１５と配置されている。
【０００７】
ＣＲＴ３０７を動作させたり電子ビューファインダーとしての各種機能を満足させるための回路を構成する回路基板ユニット３１６がボトムケース３０９の内側下面に沿うように外形を形成し配置されている。トップケース３０８を組み付けた状態での回路基板３１６とＣＲＴ３０７のクリアランスを確保した設計となっている。
【０００８】
その他に、マイクホルダーユニット３１７がトップケース３０８にネジ締め固定（不図示）されている。ＶＦケーブル３１８は内部の回路基板３１６と電気的につながっており、カメラ本体へコネクター部３１８ａを挿入し、電気信号のやり取りを行う。ブッシュ部３１８ｂはボトムケース３０９とトップケース３０８で挟み込んで固定されている。カメラ本体に取り付ける取付金具ユニット３１９は、トップケース３０８とネジ３２０によりネジ締め固定されている。
【０００９】
図５は、従来技術による電子ビューファインダーに用いられるＣＲＴマスク部の正面図（Ａ）と断面図（Ｂ）である。ＣＲＴ４０１の高圧端子４０１ａを挟み込むように、画面側よりマスク４０２と、ＣＲＴ４０１のネック側よりベース４０３の筐体で、パッキン４０４を押圧しながら、ＣＲＴ４０１がネジ（不図示）でネジ締め固定されている。マスク４０２には上下に取り付け用のネジ穴４０２ａが形成されている。マスク４０２の前面には、裏側に絶縁シート（不図示）を挟み込んでインジケーター用のＬＥＤ４０５を実装したＬＥＤ基板４０６が装着されている。ＬＥＤ基板４０６にはＬＥＤ４０５実装面と反対側面に、コネクター４０７が配置され、回路基板ユニット３１６と電気的につなげるためにリード線（不図示）を装着できる。ＬＥＤ基板４０６の更にその前面に、ＬＥＤ４０５を覆い、高さを確保したマスクスペーサー４０８が配置されている。マスクスペーサー４０８には、ＬＥＤ４０５の光を前面に出すため穴４０８ａを、少なくともＬＥＤ４０５の数は形成されている。その更に前面（最前面）には、画面の見切り部材であるディスプレイプレート４０９が配置されている。ディスプレイプレート４０９はマスクスペーサー４０８に、最適位置に粘着固定され、マスクスペーサー４０８はマスク４０２に、ネジ４１０で固定されている。その状態で正面からＬＥＤ部４１１の点灯箇所を見るインジケーターとしている。実際には、ＬＥＤ部４１１の近傍に表示内容の文字（不図示）が印刷されていたり、記号やマークをＬＥＤ部４１１のインジケーター窓内に印刷して点灯時浮き上がらせるように工夫している。
【先行技術文献】
【特許文献】
【００１０】
【特許文献１】特開平５−２９２３６２号公報
【特許文献２】特許第４３０１６７８号公報
【特許文献３】実開昭６０−１５５２６６号公報
【発明の概要】
【発明が解決しようとする課題】
【００１１】
近年、放送機器関連のデジタル高性能化が進み、中でも映像や表示機器の高性能や高精細化への実現早さは目をみはるものがある。また、さらなる高性能高精細化の要求がされてきている。それに合せて、ビデオカメラ装置も同様に高性能化への進化が著しい。しかしながら、同様に電子ビューファインダーの高性能化への要求は高いものの、表示デバイスの高精細化や、カラー化対応などまだまだ一部であり、見栄え、見やすさの改善と合せてこれらを実現することは大変重要な課題となっている。
【００１２】
また、カメラマンの使い勝手が変わることなく、現行のビデオカメラ装置に電子ビューファインダーがそのまま取り付けられる、またはそのままのデザインが踏襲できることが、高性能高精細を実現した電子ビューファインダーに求められる。さらに、従来のビデオカメラ装置を大きく変更することがないように進めることは、開発コストを抑えることができ、部品の共通化により製品コストも抑えられる。これらを実現することも重要な要素となっている。
【００１３】
また、高性能高精細電子ビューファインダーを実現するときに、デバイスのカラー化も避けては通れない要素である。従来の白黒表示のＣＲＴに置き換わるデバイスとして、コストや高性能高精細化の実現性から反射型液晶パネルが有益である。そのときに、従来の電子ビューファインダーと同様に、カメラの動作状態や使用している機能を、ＬＥＤの点灯を利用して表示するインジケーターとして画像表示周辺に設置する必要がある。反射型液晶パネルを用いるときに、フロントライト構造部材とインジケーター構造部材の共存がスペースや性能の面から難しく、これらを解決し実現することはカメラマンに受け入れられるための重要課題となっている。
【課題を解決するための手段】
【００１４】
回路基板上部に反射型液晶表示素子を搭載し、反射型液晶表示素子上部にフロントライトを具備した反射型液晶表示装置を用いた電子ビューファインダーにおいて、フロントライト構造部内に反射型液晶表示素子の表示エリアに対応する開口部と、開口部を避けた形状のＬＥＤ回路基板と、上部に開口部を避けた形状の見切り板を配置してタリー表示する反射型液晶表示装置を用いた電子ビューファインダーとする。
【００１５】
見切り板は、タリー表示ＬＥＤの光を導く窓が形成されている反射型液晶表示装置を用いた電子ビューファインダーとする。
【００１６】
見切り板は、偏光板である反射型液晶表示装置を用いた電子ビューファインダーとする。
【００１７】
回路基板上部に反射型液晶表示素子を搭載し、反射型液晶表示素子上部にフロントライトを具備した反射型液晶表示装置を用いた電子ビューファインダーにおいて、フロントライト構造部の筐体内側側面に筐体側面形状に沿った形状のＬＥＤ回路基板を配置し、さらに内側に筐体側面形状に沿った形状の反射防止板を配置する反射型液晶表示装置を用いた電子ビューファインダーとする。
【００１８】
反射防止板は、タリー表示ＬＥＤの光を導く窓が形成されている反射型液晶表示装置を用いた電子ビューファインダーとする。
【００１９】
反射防止板は、偏光板である反射型液晶表示装置を用いた電子ビューファインダーとする。
【発明の効果】
【００２０】
回路基板上部に反射型液晶表示素子を搭載し、反射型液晶表示素子上部にフロントライトを具備した反射型液晶表示装置を用いた電子ビューファインダーにおいて、フロントライト構造部内に反射型液晶表示素子の表示エリアに対応する開口部と、開口部を避けた形状のＬＥＤ回路基板と、上部に開口部を避けた形状の見切り板を配置してタリー表示することによって、従来どおりのインジケーターの表示を満足しながら、電子ビューファインダーの高性能高精細化や、カラー化を実現することができる。
【図面の簡単な説明】
【００２１】
【図１】本発明による反射型液晶表示装置を用いた電子ビューファンダーの外観及び一部内部透視の正面図（Ａ）、上面図（Ｂ）
【図２】本発明による反射型液晶表示装置の上面図（Ａ）、断面図（Ｂ）
【図３】本発明による別の反射型液晶表示装置の上面図（Ａ）、断面図（Ｂ）
【図４】従来技術による電子ビューファインダーの外観及び一部内部透視の正面図（Ａ）と上面図（Ｂ）
【図５】従来技術による電子ビューファインダーに用いられるＣＲＴマスク部の正面図（Ａ）と断面図（Ｂ）
【発明を実施するための形態】
【００２２】
本発明における反射型液晶表示装置を用いた電子ビューファインダーを、以下に説明する。図１は本発明による反射型液晶表示装置を用いた電子ビューファンダーの外観及び一部内部透視の正面図（Ａ）、上面図（Ｂ）である。
【００２３】
図１に示すように、本発明の反射型液晶表示装置１はレンズユニット２の中に配置されたレンズ３の光軸（不図示）を、反射型液晶表示装置１に配置された反射型液晶表示素子（不図示）の表示エリア中心（不図示）と垂直に合わせて配置されている。レンズ部筐体４のレンズユニット挿入方向とは逆の側より反射型液晶表示装置１をネジ５でネジ締め固定している。レンズ３の光軸をミラー等で折り曲げることなく反射型液晶表示素子（不図示）を直視している状態にある。レンズユニット２は視度調整リング６にて、レンズ２を光軸方向前後へ動かす視度調整機構を備えており、反射型液晶表示装置１の液晶表示素子に写る映像を拡大して観ることができる。この構造によって、高精細の反射型液晶表示装置１の性能を極力劣化させることなく観ることができ、反射型液晶表示装置１の裏側のキャップ７を外すだけで、反射型液晶表示装置１を簡単に電子ビューファインダーから取り外して交換することが可能である。
【００２４】
レンズ部筐体４の凹部４ａは円筒状になっており、外側の凹部４ａに摺動部材８を巻き付けてトップケース９とボトムケース１０にそれぞれ位置決め固定されたスプリング（不図示）を適度に押圧することによって回転トルクを出している。
【００２５】
ケース側には前面に各種可変ＶＲ（ボリューム）と各種動作ＳＷ（スイッチ）が配置されている。可変ＶＲ（ボリューム）はＰＥＡＫＩＮＧ（ピーキング）１１、ＣＨＲＯＭＡ（色度）１２、ＣＯＮＴＲＡＳＴ（コントラスト）１３、ＢＲＩＧＨＴ（輝度）１４が適宜間隔で並んでいる。その下に動作ＳＷ（スイッチ）がＴＡＬＬＹ（タリー）１５、ＺＥＢＲＡ（ゼブラ）１６、ＣＨＲＯＭＡ（色度）１７と配置されている。
【００２６】
反射型液晶表示装置１を動作させたり電子ビューファインダーとしての各種機能を満足させるための回路を構成する回路基板ユニット１８、回路基板ユニット１９、回路基板ユニット２０、回路基板ユニット２１がボトムケース１０の内側下面に沿うように外形を形成し配置されている。トップケース９を組み付けた状態での回路基板２１と内側のクリアランスを確保した設計となっている。
【００２７】
その他に、マイクホルダーユニット２２がトップケース９にネジ締め固定（不図示）されている。ＶＦケーブル２３は内部の回路基板ユニット１８、回路基板ユニット１９、回路基板ユニット２０、回路基板ユニット２１と電気的につながっており、カメラ本体へコネクター部２３ａを挿入し、電気信号のやり取りを行う。ブッシュ部２３ｂはボトムケース１０とトップケース９で挟み込んで固定されている。カメラ本体に取り付ける取付金具ユニット２４は、トップケース９とネジ２５によりネジ締め固定されている。
【００２８】
図２は本発明による反射型液晶表示装置の上面図（Ａ）、断面図（Ｂ）である。
反射型液晶表示素子１０１の裏側にＦＰＣの回路基板１０２が貼付され、樹脂製のベース１０３に位置決め固定されている。回路基板１０２に実装されたＬＥＤ１０４の光を効率よく反射させるために、ＬＥＤ１０４を覆うように白色の樹脂製の導光板１０５が配置されている。この導光板１０５のフック部１０５ａによって位置決め固定されたフロントライト筐体１０６が隣合せで配置されている。導光板１０５とフロントライト筐体１０６の間には光を拡散させる拡散板１０７と直線偏光光（Ｐ波）だけを通過させる偏光板１０８が挿入されている。偏光板１０８を通過した光を効率よく反射型液晶表示素子１０１に反射させるために、半透過反射シート１０９が前記フロントライト筐体１０６に位置決め貼付されている。半透過反射シート１０９は画像性能向上を考慮して、ＷＧＦ（ワイヤーグリッドフィルム）をガラス板に貼り付けたタイプを採用している。導光板１０５は遮光部材１１０で覆っている。反射型液晶表示素子１０１の回路基板１０２は、裏側に動作回路基板（不図示）へボードＴＯボードのコネクター１１１で電気的につながっている。
【００２９】
反射型液晶表示素子１０１を覆うように素子保護筐体１１２が回路基板１０２に接着固定（粘着テープの場合もある。）されている。素子保護筐体１１２は、反射型液晶表示素子１０１の画像表示エリアより大きく開口部１１２ａが形成されている。素子保護筐体１１２の上面に、裏側に絶縁シート（不図示）を挟み込んでインジケーター用のタリー表示するＬＥＤ基板１１３が位置決め固定されている。ＬＥＤ基板１１３にはＬＥＤ１１４が画像表示状態で上側３ヶ所、下側３ヶ所等間隔で実装されている。これは任意にあらかじめ配置を検討して決めることができる。数も機能の割り振りによって２列に配置するなどの工夫をして増やすことが容易に可能で、どこにＬＥＤ１１４が配置されても、スペースを同様に確保することができる構造となっている。ＬＥＤ基板１１３にはＬＥＤ１１４実装面と反対側面に、コネクター１１５が配置され、動作回路基板（不図示）と電気的につなげるためにリード線（不図示）を装着できる。ＬＥＤ基板１１３の前面に、ＬＥＤ１１４を覆い、高さを確保したマスクスペーサー１１６が配置されている。マスクスペーサー１１６には、ＬＥＤ１１４の光を前面に出すため穴１１６ａを、少なくともＬＥＤ１１４の数は形成されている。その更に前面（最前面）には、画面の見切り部材であるディスプレイプレート１１７が配置されている。ディスプレイプレート１１７はマスクスペーサー１１６に、最適位置に粘着固定され、マスクスペーサー１１６は素子保護筐体１１２に、位置決め固定されている。その状態で正面からＬＥＤ部１１８の点灯箇所を見るインジケーターとしている。実際には、ＬＥＤ部１１８の近傍に表示内容の文字（不図示）が印刷されていたり、記号やマークをＬＥＤ部１１８のインジケーター窓内に印刷して点灯時浮き上がらせるように工夫している。以上のユニットを反射型液晶表示装置１としている。
【００３０】
また、ディスプレイプレート１１７は偏光板１０８と同じ透過軸方向に合わせた偏光板材料とすることができる。そのとき、ディスプレイプレート１１７のＬＥＤ部１１８付近以外は光線を通過させないため、体裁の良い黒表示とすることができる。
【００３１】
図３は本発明による別の反射型液晶表示装置の上面図（Ａ）、断面図（Ｂ）である。反射型液晶表示素子２０１の裏側にＦＰＣの回路基板２０２が貼付され、樹脂製のベース２０３に位置決め固定されている。回路基板２０２に実装されたＬＥＤ２０４の光を効率よく反射させるために、ＬＥＤ２０４を覆うように白色の樹脂製の導光板２０５が配置されている。この導光板２０５のフック部２０５ａによって位置決め固定されたフロントライト筐体２０６が隣合せで配置されている。導光板２０５とフロントライト筐体２０６の間には光を拡散させる拡散板２０７と直線偏光光（Ｐ波）だけを通過させる偏光板２０８が挿入されている。偏光板２０８を通過した光を効率よく反射型液晶表示素子２０１に反射させるために、半透過反射シート２０９が前記フロントライト筐体２０６に位置決め貼付されている。半透過反射シート２０９は画像性能向上を考慮して、ＷＧＦ（ワイヤーグリッドフィルム）をガラス板に貼り付けたタイプを採用している。導光板２０５は遮光部材２１０で覆っている。反射型液晶表示素子２０１の回路基板２０２は、裏側に動作回路基板（不図示）へボードＴＯボードのコネクター２１１で電気的につながっている。
【００３２】
反射型液晶表示素子２０１を覆うように素子保護筐体２１２が回路基板２０２に接着固定（粘着テープの場合もある。）されている。素子保護筐体２１２は、反射型液晶表示素子２０１の画像表示エリアより大きく開口部２１２ａが形成されている。素子保護筐体２１２の上面に、裏側に絶縁シート（不図示）を挟み込んでインジケーター用のタリー表示するＬＥＤ基板２１３が位置決め固定されている。ＬＥＤ基板２１３にはＬＥＤ２１４が画像表示状態で上側３ヶ所、下側３ヶ所等間隔で実装されている。これは任意にあらかじめ配置を検討して決めることができる。数も機能の割り振りによって２列に配置するなどの工夫をして増やすことが容易に可能で、どこにＬＥＤ２１４が配置されても、スペースを同様に確保することができる構造となっている。ＬＥＤ基板２１３にはＬＥＤ２１４実装面と反対側面に、コネクター２１５が配置され、動作回路基板（不図示）と電気的につなげるためにリード線（不図示）を装着できる。ＬＥＤ基板２１３の前面に、ＬＥＤ２１４を覆い、高さを確保したマスクスペーサー２１６が配置されている。マスクスペーサー２１６には、ＬＥＤ２１４の光を前面に出すため穴２１６ａを、少なくともＬＥＤ２１４の数は形成されている。その更に前面（最前面）には、画面の見切り部材であるディスプレイプレート２１７が配置されている。ディスプレイプレート２１７はマスクスペーサー２１６に、最適位置に粘着固定され、マスクスペーサー２１６は素子保護筐体２１２に、位置決め固定されている。また図３は、フロントライト筐体２０６の側面にもＬＥＤ２１８を配置する構成を示している。フロントライト筐体２０６の内側に凹部２０６ａに嵌合可能なＬＥＤ基板２１９は、基本的に前記フロントライト筐体２０６の側面形状に沿った形状をしており、あらかじめスペースや必要な機能によって大きさを変えて設計することが容易な構造となっている。ＬＥＤ基板２１９実装面と反対側面に、コネクター２２０が配置され、動作回路基板（不図示）と電気的につなげるためにリード線（不図示）を装着できる。このＬＥＤ基板２１９を覆うように、内側に反射防止板２２１を接着固定している。反射防止板２２１もフロントライト筐体２０６の側面形状に沿った形状をしていて、画像表示状態で内側への反射を抑える役目をしている。このとき、反射防止板２２１にはＬＥＤ２１８の光を通すための窓２２１ａが形成されている。それにより、ＬＥＤ２１８の点灯と消灯が認識できる。よって、反射型液晶表示素子２０１に対して正面からＬＥＤ部２２２、ＬＥＤ２１８の点灯箇所を見るインジケーターとしている。側面のインジケータが増えたため情報を追加することができ、よりよい撮影環境を実現できる。また実際には、ＬＥＤ部２２２の近傍に表示内容の文字（不図示）が印刷されていたり、記号やマークをＬＥＤ部２２２のインジケーター窓内に印刷して点灯時浮き上がらせるように工夫している。
【００３３】
また、ディスプレイプレート２１７は偏光板２０８と同じ透過軸方向に合わせた偏光板材料とすることができる。そのとき、ディスプレイプレート２１７のＬＥＤ部２２２付近以外は光線を通過させないため、体裁の良い黒表示とすることができる。更に、反射防止板２２１はディスプレイプレート２１７と同じ透過軸方向に合わせた偏光板材料とすることができる。これにより、反射防止の効果をより高めることができる。
【符号の説明】
【００３４】
１    反射型液晶表示装置
２    レンズユニット
３    レンズ
４    レンズ部筐体
４ａ  凹部
５    ネジ
６    視度調整リング
７    キャップ
８    摺動部材
９    トップケース
１０    ボトムケース
１１    ＰＥＡＫＩＮＧ（ピーキング）
１２    ＣＨＲＯＭＡ（色度）
１３    ＣＯＮＴＲＡＳＴ（コントラスト）
１４    ＢＲＩＧＨＴ（輝度）
１５    ＴＡＬＬＹ（タリー）
１６    ＺＥＢＲＡ（ゼブラ）
１７    ＣＨＲＯＭＡ（色度）
１８    回路基板ユニット
１９    回路基板ユニット
２０    回路基板ユニット
２１    回路基板ユニット
２２    マイクホルダーユニット
２３    ＶＦケーブル
２３ａ  コネクター部
２３ｂ  ブッシュ部
２４    取付金具ユニット
２５    ネジ
１０１    反射方液晶表示素子
１０２    回路基板
１０３    ベース
１０４    ＬＥＤ
１０５    導光板
１０５ａ  フック部
１０６    フロントライト筐体
１０７    拡散板
１０８    偏光版
１０９    半透過反射シート
１１０    遮光部材
１１１    コネクター
１１２    素子保護筐体
１１２ａ  開口部
１１３    ＬＥＤ基板
１１４    ＬＥＤ
１１５    コネクター
１１６    マスクスペーサー
１１６ａ  穴
１１７    ディスプレイプレート
１１８    ＬＥＤ部
２０１    反射方液晶表示素子
２０２    回路基板
２０３    ベース
２０４    ＬＥＤ
２０５    導光板
２０５ａ  フック部
２０６    フロントライト筐体
２０６ａ  凹部
２０７    拡散板
２０８    偏光版
２０９    半透過反射シート
２１０    遮光部材
２１１    コネクター
２１２    素子保護筐体
２１２ａ  開口部
２１３    ＬＥＤ基板
２１４    ＬＥＤ
２１５    コネクター
２１６    マスクスペーサー
２１６ａ  穴
２１７    ディスプレイプレート
２１８    ＬＥＤ
２１９    ＬＥＤ基板
２２０    コネクター
２２１    反射防止板
２２１ａ  窓
２２２    ＬＥＤ部
３０１    レンズユニット
３０２    レンズ
３０３    視度調整リング
３０４    レンズ部筐体
３０４ａ  壁部
３０４ｂ  凹部
３０５    ミラーユニット
３０６    ネジ
３０７    ＣＲＴ
３０８    トップケース
３０９    ボトムケース
３１０    摺動部材
３１１    ＰＥＡＫＩＮＧ（ピーキング）
３１２    ＣＯＮＴＲＡＳＴ（コントラスト）
３１３    ＢＲＩＧＨＴ（輝度）
３１４    ＴＡＬＬＹ（タリー）
３１５    ＺＥＢＲＡ（ゼブラ）
３１６    回路基板ユニット
３１７    マイクホルダーユニット
３１８    ＶＦケーブル
３１８ａ  コネクター部
３１８ｂ  ブッシュ部
３１９    取付金具ユニット
３２０    ネジ
４０１    ＣＲＴ
４０１ａ  高圧端子
４０２    マスク
４０２ａ  ネジ穴
４０３    ベース
４０４    パッキン
４０５    ＬＥＤ
４０６    ＬＥＤ基板
４０７    コネクター
４０８    マスクスペーサー
４０８ａ  穴
４０９    ディスプレイプレート
４１０    ネジ
４１１    ＬＥＤ部
【図１】
2014204328.tif 000003
【図２】
2014204328.tif 000004
【図３】
2014204328.tif 000005
【図４】
2014204328.tif 000006
【図５】
2014204328.tif 000007